(57)【要約】【課題】イベントの様子を表す被写体を撮像する。【解決手段】撮像を開始するのに先立って、予め設けられた「結婚式」、「運動会」、「卒業式」等のイベントから所定のイベントが選択されると、図８Ａに示すように、いまらか撮像をするシーン「式場外観Ｐ１」を示すメッセージが表示部１３に表示される。ユーザが、図８Ｂの指示に応じてチャペルを撮像すれば、チャペルの写真画像が記憶媒体２に記憶される。その後、図８Ｂ乃至図８Ｆに示すように、イベントに応じた被写体が、ユーザに適宜指示される。その結果、ユーザは、イベントの様子を表すのに適した画像を記憶媒体２に記憶することができる。本発明は、デジタルカメラに適用することができる。【選択図】図８
2008148118.tif 000002
【特許請求の範囲】
【請求項１】
撮像部と、
所定の対象被写体の撮像をユーザに指示し、その指示に応じた前記撮像部による撮像の結果得られた画像を記憶媒体に記憶させる撮像制御手段と
を備える撮像装置。
【請求項２】
前記撮像制御手段は、複数の対象被写体の撮像を、所定の順番にユーザに指示し、その指示に応じた前記撮像部による撮像の結果得られた画像を記憶媒体に記憶させる
請求項１に記載の撮像装置。
【請求項３】
前記撮像制御手段は、イベント毎に、イベントに応じた対象被写体の撮像を指示する
請求項１に記載の撮像装置。
【請求項４】
前記撮像制御手段は、撮像する複数の対象被写体を選択可能に提示し、撮像する対象被写体が選択されたとき、その選択に応じた前記撮像部による撮像の結果得られた画像を前記記憶媒体に記憶させる
請求項１に記載の撮像装置。
【請求項５】
前記撮像制御手段は、前記撮像画像を、撮像の順番に前記記憶媒体に記憶させる
請求項１に記載の撮像装置。
【請求項６】
前記撮像制御手段は、前記撮像画像を、前記対象被写体の識別情報と対応付けて前記記憶媒体に記憶させる
請求項１に記載の撮像装置。
【請求項７】
所定の対象被写体の撮像をユーザに指示し、その指示に応じた撮像部による撮像の結果得られた画像を記憶媒体に記憶させる撮像制御ステップと
を含む撮像方法。
【請求項８】
撮像処理をコンピュータに実行させるプログラムにおいて、
所定の対象被写体の撮像をユーザに指示し、その指示に応じた撮像部による撮像の結果得られた画像を記憶媒体に記憶させる撮像制御ステップと
を含む撮像処理をコンピュータに実行させるプログラム。
【請求項９】
撮像部と、
所定の対象被写体の撮像をユーザに指示し、その指示に応じた前記撮像部による撮像の結果得られた撮像画像を記憶媒体に記憶させる撮像制御手段と
を備える撮像装置の前記記憶媒体に記憶された撮像画像を再生する再生装置において、
前記記憶媒体に記憶された前記撮像画像を、前記記憶媒体に記憶された順番に再生する再生手段
を備える再生装置。
【請求項１０】
前記撮像装置において、前記撮像画像が、前記対象被写体の識別情報と対応付けて記憶されている場合、前記再生手段は、前記識別情報により識別される対象被写体の順番に、それに対応付けられている撮像画像を再生する
請求項９に記載の再生装置。
【請求項１１】
撮像部と、
所定の対象被写体の撮像をユーザに指示し、その指示に応じた前記撮像部による撮像の結果得られた撮像画像を記憶媒体に記憶させる撮像制御手段と
を備える撮像装置の前記記憶媒体に記憶された撮像画像を再生する再生方法において、
前記記憶媒体に記憶された前記撮像画像を、前記記憶媒体に記憶された順番に再生する再生ステップ
を含む再生方法。
【請求項１２】
撮像部と、
所定の対象被写体の撮像をユーザに指示し、その指示に応じた前記撮像部による撮像の結果得られた撮像画像を記憶媒体に記憶させる撮像制御手段と
を備える撮像装置の前記記憶媒体に記憶された撮像画像を再生する再生処理をコンピュータに実行させるプログラムにおいて、
前記記憶媒体に記憶された前記撮像画像を、前記記憶媒体に記憶された順番に再生する再生ステップ
を含む再生処理をコンピュータに実行させるプログラム。
【発明の詳細な説明】
【技術分野】
【０００１】
本発明は、撮像装置および撮像方法、再生装置および再生方法、並びにプログラムに関し、特に、例えば、所定の被写体を撮像し、その撮像画像を記憶または再生するのに適した撮像装置および撮像方法、再生装置および再生方法、並びにプログラムに関する。
【背景技術】
【０００２】
CCD(Charge Coupled Device Image Sensor)やCMOS（ Complementary Metal Oxide Semiconductor）などの光に反応する半導体素子を使って映像を電気信号に変換し、デジタルデータとしてフラッシュメモリなどの記憶媒体に記憶できるデジタルカメラが存在する。
【０００３】
このデジタルカメラには、いつでも撮像した画像を消去できる等の編集が容易である点、撮像された画像をデータとして記憶媒体に記憶して手渡せることができる等の画像の取り扱いが容易である点、またその記憶媒体に記憶された画像については、予め決められた順序で自動的に再生できるスライドショー再生が可能となる等の再生形態が多様である点などの利点がある。
【０００４】
なお特許文献１には、デジタルカメラ等で撮像した画像データを大容量の記憶部に蓄積し、リモコンからの信号に応じて記憶部に蓄積した画像データを読み出して表示する画像再生システムにおいて、リモコンのスライドショーボタンがオン操作されると、再生対象アルバムを読み出してそのアルバムに含まれる画像のスライドショー表示が開始され、スライドショー中にアルバム切り替えボタンがオン操作されると、指定されたアルバムに切り換わり、切り換わった後の新たなアルバムについてスライドショーが実行される画像再生システムについて記載されている。
【０００５】
【特許文献１】特開２００６−１７３９８５号公報
【発明の開示】
【発明が解決しようとする課題】
【０００６】
ところで、デジタルカメラには上述した利点があるが、結局記憶媒体には、ユーザが、自分が思ったとおりに撮像した場面の撮像画像が記憶されることになるので、ユーザが撮像した被写体やその順番によっては、例えばスライドショー再生を行った場合、ストーリー性がなく、それをみる者が楽しむことができないことがある。
【０００７】
撮像後編集することは可能であるが、例えば結婚式の様子を撮像する場合において、式場外観、花嫁控室の様子、式場内の様子等、結婚式の様子を表す場面を撮像していなければ、編集自体意味がない。
【０００８】
また、一度書き込まれると消去できない、安価な記憶媒体の普及等により、式後に、撮像した画像が記憶された記憶媒体を直接手渡すことも増え、その場合など、編集するのに時間がない場合もある。
【０００９】
すなわち、このように、はじめから、イベントに応じて一定の場面が所定の順番で撮像されていることが望ましいことがあるが、従来においては、そのような撮像を実現するための方法は開発されていない。
【００１０】
本発明は、このような状況に鑑みてなされたものであり、例えば、イベント毎に、一定の被写体を撮像することができるようにするものである。
【課題を解決するための手段】
【００１１】
本発明の第１の側面の撮像装置は、撮像部と、所定の対象被写体の撮像をユーザに指示し、その指示に応じた前記撮像部による撮像の結果得られた画像を記憶媒体に記憶させる撮像制御手段とを備える。
【００１２】
前記撮像制御手段は、複数の対象被写体の撮像を、所定の順番にユーザに指示し、その指示に応じた前記撮像部による撮像の結果得られた画像を記憶媒体に記憶させることができる。
【００１３】
前記撮像制御手段は、イベント毎に、イベントに応じた所定の対象被写体の撮像をユーザに指示することができる。
【００１４】
前記撮像制御手段は、撮像する複数の対象被写体を選択可能に提示し、撮像する対象被写体が選択されたとき、その選択に応じた前記撮像部による撮像の結果得られた画像を前記記憶媒体に記憶させることができる。
【００１５】
前記撮像制御手段は、前記撮像画像を、撮像の順番に前記記憶媒体に記憶させることができる。
【００１６】
前記撮像制御手段は、前記撮像画像を、前記対象被写体の識別情報と対応付けて前記記憶媒体に記憶させることができる。
【００１７】
本発明の第１の側面の撮像方法は、所定の対象被写体の撮像をユーザに指示し、その指示に応じた前記撮像部による撮像の結果得られた画像を記憶媒体に記憶させる撮像制御ステップとを含む。
【００１８】
本発明の第１の側面のプログラムは、所定の対象被写体の撮像をユーザに指示し、その指示に応じた前記撮像部による撮像の結果得られた画像を記憶媒体に記憶させる撮像制御ステップとを含む撮像処理をコンピュータに実行させる。
【００１９】
本発明の第１の側面の撮像装置、撮像方法、またはプログラムにおいては、所定の対象被写体の撮像がユーザに指示され、その指示に応じた撮像部による撮像の結果得られた画像が記憶媒体に記憶される。
【００２０】
本発明の第２の側面の再生装置は、撮像部と、所定の対象被写体の撮像をユーザに指示し、その指示に応じた前記撮像部による撮像の結果得られた撮像画像を記憶媒体に記憶させる撮像制御手段とを備える撮像装置の前記記憶媒体に記憶された撮像画像を再生する再生装置において、前記記憶媒体に記憶された前記撮像画像を、前記記憶媒体に記憶された順番に再生する再生手段を備える。
【００２１】
前記撮像装置において、前記撮像画像が、前記対象被写体の識別情報と対応付けて記憶されている場合、前記再生手段は、前記識別情報により識別される対象被写体の順番に、それに対応付けられている撮像画像を再生することができる。
【００２２】
本発明の第２の側面の再生方法は、撮像部と、所定の対象被写体の撮像をユーザに指示し、その指示に応じた前記撮像部による撮像の結果得られた撮像画像を記憶媒体に記憶させる撮像制御手段とを備える撮像装置の前記記憶媒体に記憶された撮像画像を再生する再生方法において、前記記憶媒体に記憶された前記撮像画像を、前記記憶媒体に記憶された順番に再生する再生ステップを含む。
【００２３】
本発明の第２の側面のプログラムは、撮像部と、所定の対象被写体の撮像をユーザに指示し、その指示に応じた前記撮像部による撮像の結果得られた撮像画像を記憶媒体に記憶させる撮像制御手段とを備える撮像装置の前記記憶媒体に記憶された撮像画像を再生する再生処理をコンピュータに実行させるプログラムにおいて、前記記憶媒体に記憶された前記撮像画像を、前記記憶媒体に記憶された順番に再生する再生ステップを含む再生処理をコンピュータに実行させる。
【００２４】
本発明の第２の側面の再生装置、再生方法、またはプログラムにおいては、撮像部と、所定の対象被写体の撮像をユーザに指示し、その指示に応じた前記撮像部による撮像の結果得られた撮像画像を記憶媒体に記憶させる撮像制御手段とを備える撮像装置の前記記憶媒体に記憶された撮像画像を再生する場合において、前記記憶媒体に記憶された前記撮像画像が、前記記憶媒体に記憶された順番に再生される。
【発明の効果】
【００２５】
本発明の第１の側面によれば、例えば、イベント毎に、所定の被写体を撮像することができる。
【００２６】
本発明の第２の側面によれば、例えば、イベント毎に、所定の被写体が撮像された結果得られた撮像画像を再生することができる。
【発明を実施するための最良の形態】
【００２７】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
本発明の第１の側面の撮像装置は、
撮像部（例えば、図１の撮像部１１）と、
所定の対象被写体の撮像をユーザに指示し、その指示に応じた前記撮像部による撮像の結果得られた画像を記憶媒体に記憶させる撮像制御手段（例えば、図１の制御部１７）と
を備える。
【００２９】
前記撮像制御手段は、複数の対象被写体の撮像を、所定の順番にユーザに指示し、その指示に応じた前記撮像部による撮像の結果得られた画像を記憶媒体に記憶させることができる（例えば、図４）。
【００３０】
前記撮像制御手段は、イベント毎に、イベントに応じた対象被写体の撮像を指示することができる（例えば、図３および図５）。
【００３１】
前記撮像制御手段は、撮像する複数の対象被写体を選択可能に提示し（例えば、図１１）、撮像する対象被写体が選択されたとき、その選択に応じた前記撮像部による撮像の結果得られた画像を前記記憶媒体に記憶させることができる（例えば、図１２）。
【００３２】
前記撮像制御手段は、前記撮像画像を、撮像の順番に前記記憶媒体に記憶させることができる（例えば、図４）。
【００３３】
前記撮像制御手段は、前記撮像画像を、前記対象被写体の識別情報と対応付けて前記記憶媒体に記憶させることができる（例えば、図１２）。
【００３４】
本発明の第１の側面の撮像方法またはプログラムは、所定の対象被写体の撮像をユーザに指示し、その指示に応じた撮像部による撮像の結果得られた画像を記憶媒体に記憶させる撮像制御ステップ（例えば、図４）とを含む。
【００３５】
本発明の第２の側面の再生装置は、
撮像部と、
所定の対象被写体の撮像をユーザに指示し、その指示に応じた前記撮像部による撮像の結果得られた撮像画像を記憶媒体に記憶させる撮像制御手段と
を備える撮像装置の前記記憶媒体に記憶された撮像画像を再生する再生装置において、
前記記憶媒体に記憶された前記撮像画像を、前記記憶媒体に記憶された順番に再生する再生手段（例えば、図９の制御部６１）
を備える。
【００３６】
前記撮像装置において、前記撮像画像が、前記対象被写体の識別情報と対応付けて記憶されている場合、前記再生手段は、前記識別情報により識別される対象被写体の順番に、それに対応付けられている撮像画像を再生することができる（例えば、図１３）。
【００３７】
本発明の第２の側面の再生方法、またはプログラムは、
撮像部と、
所定の対象被写体の撮像をユーザに指示し、その指示に応じた前記撮像部による撮像の結果得られた撮像画像を記憶媒体に記憶させる撮像制御手段と
を備える撮像装置の前記記憶媒体に記憶された撮像画像を再生する再生方法において、
前記記憶媒体に記憶された前記撮像画像を、前記記憶媒体に記憶された順番に再生する再生ステップ（例えば、図１０）
を含む。
【００３８】
図１は、本発明を適用したデジタルカメラ１の構成例を示している。
【００３９】
撮像部１１は、CCDカメラ等から構成されており、風景を撮像し、その結果得られた撮像画像を制御部１７に供給する。
【００４０】
表示制御部１２は、制御部１７による制御に従って所定の操作画面や、撮像部１１により現在取り込まれている画像や撮像画像を、例えば図２に示すように、デジタルカメラ１の背面に設けられている表示部１３に表示させる。
【００４１】
図１に戻りスロット１４は、記憶媒体２が着脱可能な構成を有し、スロット１４に装着された記憶媒体２には、制御部１７から供給された撮像画像が記憶される。
【００４２】
操作制御部１５は、図２に示すような、デジタルカメラ１に設けられたシャッタボタン２１や操作ボタン２２等から構成される操作部１６に対するユーザの操作内容を入力し、制御部１７に通知する。
【００４３】
制御部１７は、操作制御部１５から通知された操作内容に応じて各部を制御し、例えば所定の撮像処理を実行させる。
【００４４】
ここで、デジタルカメラ１で実行される撮像処理の概要を説明する。この撮像処理では、例えば「結婚式」、「運動会」、「卒業式」等のユーザが写真を撮ろうとするイベント毎に、そのイベントの様子を表すのに適した被写体がユーザに適宜指示され、その指示に応じて撮像された撮像画像が記憶媒体２に記憶される。
【００４５】
このようにイベント毎に、撮像すべき被写体をユーザに指示するようにしたので、ユーザは、その指示に応じて、指示された被写体を順次撮像することにより、そのイベントの様子を表すのに適した被写体の画像、すなわち例えば撮像順にスライドショー再生されたならばストーリー性のある一連の場面の画像を記憶媒体２に記憶することができる。従って後で編集しなくても、そのイベントの様子を表すのに適した場面の画像を得ることができる。
【００４６】
例えば「結婚式」のイベントにおいては、図３に示すような結婚式の様子を表すのに適した被写体（以下、対象被写体Ｗと称する）の撮像が、図中上から下方向の順番でユーザに指示される。なお図３の例の場合、結婚式を表すのに適した対象被写体Ｗは、シーンＰ毎にまとめられている。
【００４７】
具体的には、最初に撮像されるシーン「式場外観Ｐ１」について撮像すべき対象被写体Ｗとして、チャペルＷ１−１、鐘Ｗ１−２、バージンロードＷ１−３、チャペル内の花Ｗ１−４、・・・が順に指示される。
【００４８】
次に、シーン「花嫁控室Ｐ２」について撮像すべき対象被写体Ｗとして、控室における、花嫁Ｗ２−１、両親Ｗ２−２、部屋全体Ｗ２−３、・・・・が順に指示される。
【００４９】
次に、シーン「式場内Ｐ３」について撮像すべき対象被写体Ｗとして、式場内における、入場時の新郎新婦Ｗ３−１、出席者Ｗ３−２、各テーブルＷ３−３、・・・・が順に指示される。
【００５０】
すなわちこの撮像処理では、イベントに応じた例えば図３に示すような対象被写体Ｗの撮像が、後述するようにユーザに適宜指示されるので、ユーザはその指示に従って撮像すれば、例えばチャペル、鐘、バージンロード、チャペル内の花、・・・、控室の花嫁、両親の様子、部屋全体、・・・・、式場内の入場時の新郎新婦、出席者、各テーブル、・・・・など、結婚式の様子を表す被写体（場面）の画像を記録媒体２に順番に記憶することができる。
【００５１】
その結果、撮像後に編集を行わなくてもよく、撮像終了と同時に例えばストーリー性がある一連の画像を得ることができる。
【００５２】
次に、この撮像処理を、図４のフローチャートを参照して説明する。
【００５３】
ステップＳ１において、デジタルカメラ１の制御部１７は、表示制御部１２を制御して、図５に示すような、イベントを選択するイベント選択画面２１Ａを表示部１３に表示させる。
【００５４】
図５のイベント選択画面２１Ａでは、選択可能なイベントとして「結婚式」、「運動会」、「卒業式」等が設けられている。
【００５５】
例えば図５中、「結婚式」の表示に対応するチェックボックスがチェックされ、「結婚式」のイベントが選択された場合、図３を参照して説明した各対象被写体Ｗの撮像が適宜指示される撮像処理が実行される。
【００５６】
イベント選択画面２１Ａから所定のイベントが選択されると、ステップＳ２において、制御部１７は、表示制御部１２を制御して、図６に示すような被写体例表示画面２１Ｂを表示させる。
【００５７】
図６の例は、図５のイベント選択画面２１Ａにおいて「結婚式」のイベントが選択された場合に表示される被写体例表示画面２１Ｂであり、図３に示した対象被写体Ｗのいつかを示すメッセージがまとめて表示される。ユーザは、この被写体例表示画面２１Ｂを参照することにより、いま撮像すべき被写体を認知することができる。
【００５８】
なお図６の例では、各枠に、対象被写体Ｗを示すメッセージが表示されているが、各枠に、対象被写体Ｗを表す画像が表示されるようにすることができる。例えば図６の「チャペル」が表示されている枠に、図７に示すように、チャペルの画像が表示され、図６の「鐘」が表示されている枠に、その図示は省略するが鐘の画像が表示されるようにすることができる。
【００５９】
図４に戻りステップＳ３において、制御部１７は、操作制御部１５から、ユーザによる操作部１６に対する操作により撮像開始が指令された旨が通知されると、ステップＳ４において、図３におけるシーンＰｉのｉの番号を示すカウンタ（以下、シーンカウンタｉと称する）の値を１に、シーンカウンタｉに示されるシーンＰｉにおいて撮像されるべき対象被写体Ｗｉ−ｊのｊを示すカウンタ（以下、被写体カウンタｊと称する）の値を１に、それぞれ初期設定する。なお制御部１７は、シーンカウンタｉと被写体カウンタｊを、それぞれ内蔵しているものとする。
【００６０】
ステップＳ５において、制御部１７は、表示制御部１２を制御して、シーンカウンタｉの値に応じた指示を、表示部１３に表示させる。
【００６１】
いまの場合シーカウンタｉの値が１なので、図８Ａに示すように、いまらか撮像をするシーン「式場外観Ｐ１」を示すメッセージが表示部１３に表示される。これによりユーザは、いまから撮像すべきシーンは式場外観であることを認知することができる。
【００６２】
次にステップＳ６において、制御部１７は、操作制御部１５から、表示部１３により表示されたメッセージが示すシーンの撮像をスキップする操作がなされた旨が通知されたか否かを判定し、その旨が通知されていないと判定した場合、ステップＳ７に進む。
【００６３】
ステップＳ７において、制御部１７は、表示制御部１２を制御して、シーンカウンタｉの値と被写体カウンタｊの値に応じたメッセージを、表示部１３に表示させる。
【００６４】
いまの場合、例えばシーンカウンタｉの値が１で、被写体カウンタｊの値が１であるので、図８Ｂに示すように、シーン「式場外観Ｐ１」のチャペルＷ１−１の撮像を指示するメッセージが表示される。
【００６５】
ステップＳ８において、制御部１７は、操作制御部１５から、シャッタボタン２１が切られた旨が通知されたか否かを判定し、その旨が通知されたと判定した場合、ステップＳ９に進み、撮像部１１を制御して、撮像を開始させるとともに、ステップＳ１０において、その結果撮像部１１から供給された画像（撮像の結果得られた撮像画像）を記憶媒体２に供給して記憶させる。すなわちユーザが、図８Ｂの指示に応じてチャペルを撮像すれば、チャペルの撮像画像が記憶媒体２に記憶される。
【００６６】
ステップＳ８で、シャッタボタン２１が切られた旨が通知されていないと判定された場合、ステップＳ１１に進み、制御部１７は、操作制御部１５から、表示部１３により表示されたメッセージが示す対象被写体Ｗの撮像をスキップする操作がなされた旨が通知されたか否かを判定し、その旨が通知されていないと判定した場合、ステップＳ８に戻る。
【００６７】
ステップＳ１０で、撮像画像が記憶媒体２に記憶されたとき、またはステップＳ１１で、対象被写体Ｗの撮像をスキップする操作がなされた旨が通知されたと判定された場合、ステップＳ１２に進む。
【００６８】
ステップＳ１２において、制御部１７は、被写体カウンタｊの値が、シーンカウンタｉの値が示すシーンＰｉの対象被写体Ｗの数ｎより大きい値であるか否かを判定し、そうではないと判定した場合、ステップＳ１３に進み、被写体カウンタｊの値を１だけインクリメントして、ステップＳ７に戻り、それ以降の処理を同様に実行する。
【００６９】
すなわちステップＳ７乃至ステップＳ１３が繰り返されることにより、図８Ｂ乃至図８Ｆに示すような、対象被写体Ｗの撮像を指示するメッセージが表示部１３に表示され、その指示に応じて撮像された撮像画像が記憶媒体２に順次記憶される。
【００７０】
ステップＳ６で、シーンＰiの撮像がスキップされた場合、またはステップＳ１２で、被写体カウンタｊ＞ｎであると判定された場合、ステップＳ１４に進み、制御部１７は、操作制御部１５から、撮像処理の終了の指令が通知されたか否かを判定し、その指令が通知されていないと判定した場合、ステップＳ１５に進む。
【００７１】
ステップＳ１５において、制御部１７は、シーンカウンタｉの値が、シーンＰの数ｍより大きい値であるか否かを判定し、そうではないと判定した場合、ステップＳ１６に進み、シーンカウンタｉの値を１だけインクリメントするとともに、被写体カウンタｊの値を１に初期設定する。
【００７２】
その後、ステップＳ５に戻り、制御部１７は、それ以降の処理を同様に実行する。
【００７３】
ステップＳ１４で、撮像処理を終了する指令が通知されたと判定された場合、またはステップＳ１５で、シーンカウンタｉ＞ｍである場合と判定された場合（すなわちすべての対象被写体Ｗの撮像の指示が完了した場合）、制御部１７は、撮像処理を終了させる。
【００７４】
以上のように、イベントに応じた例えば図３に示すような対象被写体Ｗの撮像を、ユーザに適宜指示するようにしたので、ユーザはその指示に従って撮像することにより、イベントの様子を表すのに適した被写体（場面）の画像を記憶媒体２に記憶することができる。
【００７５】
すなわち、写真を撮り終わった後に編集を行わなくてもよく、それと同時に例えばストーリー性がある一連の画像を得ることができる。
【００７６】
図９は、図１の記憶媒体２に記憶されたデジタルカメラ１による撮像の結果得られた撮像画像を再生する再生装置５１の構成例を示している。
【００７７】
制御部６１は、操作制御部６５から通知された、図示せぬ操作部に対するユーザの操作内容に応じて各部を制御し、例えばスロット６２に装着された記憶媒体２に記憶されている撮像画像を読み出し、表示制御部６３を制御して、表示部６４に表示させる。
【００７８】
次に、記憶媒体２に記憶された撮像画像をスライドショー再生する場合の再生装置５１の動作を、図１０のフローチャートを参照して説明する。
【００７９】
ステップＳ２１において、制御部６１は、記憶媒体２に記憶された順番に１つの撮像画像を選択して記憶媒体２から読み出し、ステップＳ２２において、それを、表示制御部６３を制御して、表示部６４に、所定の時間表示させる。
【００８０】
ステップＳ２３において、制御部６１は、操作制御部６５から、スライドショー再生を終了する指令が通知されたか否かを判定し、通知されていないと判定した場合、ステップＳ２４に進む。
【００８１】
ステップＳ２４において、制御部６１は、記憶媒体２に記憶されているすべての撮像画像がステップＳ２１で選択されたか否かを判定し、まだ選択されていない撮像画像が残っていると判定した場合、ステップＳ２１に戻り、次の撮像画像を選択して記憶媒体２から読み出し、ステップＳ２２以降の処理を同様に実行する。
【００８２】
ステップＳ２４で、記憶媒体２に記憶されているすべての撮像画像を選択したと判定した場合、またはステップＳ２３で、スライドショー再生を終了する指令が通知されたと判定した場合、制御部６１は、処理を終了させる。
【００８３】
すなわち図４を参照して上述したように、イベントの様子を表す対象被写体Ｗの撮像画像が、所定の順番に記憶媒体２に記憶されているので、このように記憶された順番に記憶媒体２に記憶されている撮像画像を再生することで、例えばストーリー性がある一連の画像をスライドショー再生することができる。
【００８４】
例えば、記憶媒体２に、図３に示した対象被写体Ｗの撮像の指示に応じて撮像が行われた結果得られた撮像画像が記憶されている場合、はじめは、最初に記憶されたチャペルの画像が記憶媒体２から読み出され、所定の時間表示され、次に鐘の撮像画像が記憶媒体２から読み出され、チャペルの撮像画像に代えて、所定の鐘の撮像画像が所定の時間表示される。このように結婚式の表す一連の画像がスライドショー再生される。
【００８５】
なお図４で示した撮像処理では、図３に示した対象被写体Ｗの撮像画像がその撮像順に記憶媒体２に記憶されたが、図３に示す順番で対象被写体Ｗを撮像することができない場合もある。
【００８６】
そこで図１１に示すような、例えばイベント「結婚式」の対象被写体Ｗを提示するとともに選択できる被写体選択画面２１Ｃを、デジタルカメラ１の表示部１３に表示させて、ユーザは、その表示をみながら撮像する対象被写体Ｗを決定し撮像を行うようにすることもできる。
【００８７】
この場合のデジタルカメラ１の撮像処理を、図１２のフローチャートを参照して説明する。
【００８８】
ステップＳ３１乃至ステップＳ３３においては、図４のステップＳ１乃至ステップＳ３における場合と同様の処理が行われるので、その説明は省略する。
【００８９】
ステップＳ３４において、デジタルカメラ１の制御部１７は、表示制御部１２を制御して、図１１に示すような被写体選択画面２１Ｃを表示させる。
【００９０】
ステップＳ３５において、制御部１７は、被写体選択画面２１Ｃにより対象被写体Ｗが選択されたか否かを判定し、選択されたと判定した場合、ステップＳ３６に進み、選択された対象被写体ＷのＩＤを、選択された対象被写体Ｗの番号と、その対象被写体Ｗが属するシーンＰの番号から構成する。
【００９１】
なおシーンＰの番号は、図３に示す各シーンＰｉのｉの部分に相当する番号であり、対象被写体Ｗの番号とは、図３に示す各対象被写体Ｗｉ−ｊのｊの部分に相当する番号であり、制御部１７はそれらを記憶しているものとする。
【００９２】
次にステップＳ３７において、制御部１７は、シャッタボタン２１が切られたか否かを判定し、シャッタボタン２１が切られたと判定した場合、ステップＳ３８に進み、撮像部１１を制御して撮像を行わせるとともに、ステップＳ３９において、その結果得られた撮像画像を記憶媒体２に記憶させる。
【００９３】
なおいまの場合、記憶媒体２に撮像画像を記憶させる際、対象被写体ＷのＩＤの順番で配置されるように記憶するものとする。すなわち図３の順番で撮像画像が記憶媒体２の所定の記憶領域に書き込まれる。
【００９４】
ステップＳ４０において、制御部１７は、ステップＳ３５で、すべての対象被写体Ｗが選択されたか否かを判定し、まだ選択されていない対象被写体Ｗが残っていると判定した場合、ステップＳ４１に進む。
【００９５】
ステップＳ４１において、制御部１７は、撮像処理の終了の指令がなされたか否かを判定し、その指令が通知なされていないと判定した場合、ステップＳ３５に戻り、それ以降の処理を実行する。
【００９６】
ステップＳ４０で、すべての対象被写体Ｗが選択されたと判定されたとき、またはステップＳ４１で、撮像処理の終了の指令がなされたと判定されたとき、制御部１７は、撮像処理を終了させる。
【００９７】
なおこのようにして記憶媒体２に記憶された撮像画像は、基本的には、図１０に示した処理と同様にしてスライドショー再生を行うことができるが、この場合、ステップＳ２１に相当する処理で、先頭から順番（すなわち対象被写体ＷのＩＤの順番）に撮像画像が選択されることになる。
【００９８】
以上のように、所定のシーンにおいて撮像されるべき対象被写体Ｗを選択可能に提示し、ユーザがその対象被写体Ｗを選択しながら、撮像することができるようにしたので、図３に示す順番で対象被写体Ｗを撮像することができない場合においても、イベントを表すのに適した対象被写体Ｗを撮像することができる。
【００９９】
なお図１２の撮像処理の例では、対象被写体Ｗの撮像画像が対象被写体ＷのＩＤの順番に配置されるように記憶媒体２に書き込まれるようにしたが、任意の位置に書き込まれるようにすることもできる。この場合、デジタルカメラ１では、撮像画像を記憶媒体２に記憶する際、記憶される撮像画像に、いま選択されている対象被写体ＷのＩＤが対応付けられる。この場合再生装置５１では、ＩＤに基づいて再生させる順番が決定される。
【０１００】
このように撮像画像が対象被写体ＷのＩＤと対応付けられて記憶媒体２に記憶されている場合の再生装置５１におけるスライドショー再生処理を、図１３のフローチャートを参照して説明する。
【０１０１】
ステップＳ５１において、制御部６１は、シーンＰを示すシーンカウンタｉと対象被写体Ｗを示す被写体カウンタｊの値を、それぞれ１に初期設定する。
【０１０２】
ステップＳ５２において、制御部６１は、シーンカウンタｉの値と被写体カウンタｊの値からなるＩＤが対応付けられている撮像画像が記憶媒体２に記憶されているか否かを判定し、記憶されていると判定した場合、ステップＳ５３に進み、その撮像画像を記憶媒体２から読み出し、表示制御部６３を制御して、その撮像画像を所定の時間表示部６４に表示させる。
【０１０３】
ステップＳ５４において、制御部６１は、被写体カウンタｊの値が、シーンカウンタｉの値が示すシーンＰｉに属する対象被写体Ｗの数ｎより大きいか否かを判定し、大きくないと判定した場合、ステップＳ５５に進み、被写体カウンタｊの値を１だけインクリメントし、ステップＳ５２に戻り、それ以降の処理を同様に実行する。
【０１０４】
ステップＳ５４で、被写体カウンタｊ＞ｎであると判定された場合、ステップＳ５６に進み、制御部６１は、シーンカウンタｉの値が、シーンＰの数ｍより大きいか否かを判定し、大きくないと判定した場合、ステップＳ５７に進み、シーンカウンタｉの値を１だけインクリメントし、被写体カウンタｊの値を１に初期設定する。
【０１０５】
その後、ステップＳ５２に戻り、それ以降の処理を同様に実行する。
【０１０６】
ステップＳ５６で、シーンカウンタｉ＞ｍであると判定した場合、制御部６１は、処理を終了させる。
【０１０７】
以上のようにしてスライドショー再生が実行される。
【０１０８】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１０９】
そこで、図１４は、上述した一連の処理を実行するプログラムがインストールされるコンピュータの一実施の形態の構成例を示している。
【０１１０】
プログラムは、コンピュータに内蔵されている記録媒体としてのハードディスク１０５やROM１０３に予め記録しておくことができる。
【０１１１】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体１１１に、一時的あるいは永続的に格納（記録）しておくことができる。このようなリムーバブル記録媒体１１１は、いわゆるパッケージソフトウエアとして提供することができる。
【０１１２】
なお、プログラムは、上述したようなリムーバブル記録媒体１１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部１０８で受信し、内蔵するハードディスク１０５にインストールすることができる。
【０１１３】
コンピュータは、CPU(Central Processing Unit)１０２を内蔵している。CPU１０２には、バス１０１を介して、入出力インタフェース１１０が接続されており、CPU１０２は、入出力インタフェース１１０を介して、ユーザによって、キーボードや、マウス、マイク等で構成される入力部１０７が操作等されることにより指令が入力されると、それに従って、ROM(Read Only Memory)１０３に格納されているプログラムを実行する。あるいは、また、CPU１０２は、ハードディスク１０５に格納されているプログラム、衛星若しくはネットワークから転送され、通信部１０８で受信されてハードディスク１０５にインストールされたプログラム、またはドライブ１０９に装着されたリムーバブル記録媒体１１１から読み出されてハードディスク１０５にインストールされたプログラムを、RAM(Random Access Memory)１０４にロードして実行する。これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、LCD(Liquid Crystal Display)やスピーカ等で構成される出力部１０６から出力、あるいは、通信部１０８から送信、さらには、ハードディスク１０５に記録等させる。
【０１１４】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１１５】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【０１１６】
なお、本発明の実施の形態は、上述した実施の形態に限定されるものではなく、本発明の要旨を逸脱しない範囲において種々の変更が可能である。
【図面の簡単な説明】
【０１１７】
【図１】本発明を適用したデジタルカメラ１の構成例を示すブロック図である。
【図２】図１のデジタルカメラ１の外観の構成例を示す図である。
【図３】ユーザに撮像が指示される被写体を説明する図である。
【図４】図１のデジタルカメラ１の撮像処理を説明するフローチャートである。
【図５】イベント選択画面の表示例を示す図である。
【図６】被写体例表示画面の表示例を示す図である。
【図７】被写体例表示画面の他の表示例を示す図である。
【図８】対象被写体の撮像の指示の例を示す図である。
【図９】本発明を適用した再生装置５１の構成例を示すブロック図である。
【図１０】図９の再生装置５１のスライドショー再生処理を説明するフローチャートである。
【図１１】被写体選択画面の表示例を示す図である。
【図１２】図１のデジタルカメラ１の他の撮像処理を説明するフローチャートである。
【図１３】図９の再生装置５１の他のスライドショー再生処理を説明するフローチャートである。
【図１４】本発明を適用したコンピュータの一実施の形態の構成例を示すブロック図である。
【符号の説明】
【０１１８】
１  デジタルカメラ，  １１  撮像部，  １２  表示制御部，  １３  表示部，  １４  スロット，  １５  表示制御部，  １６  操作部，  ２１  シャッタボタン，  ２２  操作ボタン，  ５１  再生装置，  ６１  制御部，  ６２  スロット，  ６３  表示制御部，  ６４  表示部，  ６５  操作制御部
【図１】
2008148118.tif 000003
【図２】
2008148118.tif 000004
【図３】
2008148118.tif 000005
【図４】
2008148118.tif 000006
【図５】
2008148118.tif 000007
【図６】
2008148118.tif 000008
【図７】
2008148118.tif 000009
【図８】
2008148118.tif 000010
【図９】
2008148118.tif 000011
【図１０】
2008148118.tif 000012
【図１１】
2008148118.tif 000013
【図１２】
2008148118.tif 000014
【図１３】
2008148118.tif 000015
【図１４】
2008148118.tif 000016